【手続補正書】
【提出日】令和1年12月17日(2019.12.17)
【手続補正１】
【補正対象書類名】特許請求の範囲
【補正対象項目名】全文
【補正方法】変更
【補正の内容】
【特許請求の範囲】
【請求項１】
生体の血中酸素飽和度を測定する測定手段と、
前記測定手段により測定された血中酸素飽和度を予め定められた段階数及び刻みのレベルに変換する変換手段と、
前記変換手段により変換されたレベルを表示する表示手段の表示を制御する表示制御手段と、
を備えるパルスオキシメーター。
【請求項２】
生体の血中酸素飽和度を測定する測定手段と、
前記測定手段により測定された血中酸素飽和度を予め定められた段階数及び刻みのレベルに変換する変換手段と、
前記変換手段により変換されたレベルを表示する表示手段と、
を備えるパルスオキシメーター。
【請求項３】
生体の血中酸素飽和度を測定する測定手段と、
前記測定手段により測定された血中酸素飽和度の、予め定められた基準値からの相対値を算出する相対値算出手段と、
前記相対値算出手段により算出された相対値を予め定められた段階数及び刻みのレベルに変換する変換手段と、
前記レベルを表示する表示手段と、
を備えるパルスオキシメーター。
【請求項４】
前記測定手段による測定結果に基づいて前記基準値を取得する基準値取得手段を備える請求項３に記載のパルスオキシメーター。
【請求項５】
前記測定手段により測定された血中酸素飽和度を予め定められた段階数及び刻みのレベルに変換する第２の変換手段と、
前記表示手段に表示するレベルを、前記相対値を変換したレベルと前記血中酸素飽和度を変換したレベルとの間で切り替える切替手段と、
を備える請求項３又は４に記載のパルスオキシメーター。
【請求項６】
前記表示手段は、表示しているレベルが前記相対値を変換したレベルであるか前記血中酸素飽和度を変換したレベルであるかを示す情報を併せて表示する請求項５に記載のパルスオキシメーター。
【請求項７】
生体の血中酸素飽和度及び脈拍数を測定する測定手段と、
前記測定手段により測定された血中酸素飽和度及び脈拍数のそれぞれの、予め定められた基準値からの相対値を算出する相対値算出手段と、
前記相対値算出手段により算出された前記血中酸素飽和度の相対値と前記脈拍数の相対値のそれぞれを予め定められた段階数及び刻みのレベルに変換する変換手段と、
前記変換手段により変換された前記血中酸素飽和度の相対値のレベルと前記脈拍数の相対値のレベルに基づいてリスクレベルを算出するリスクレベル算出手段と、
前記リスクレベル算出手段により算出されたリスクレベルを表示する表示手段と、
を備えるパルスオキシメーター。
【請求項８】
前記リスクレベル算出手段は、前記血中酸素飽和度の相対値のレベルと前記脈拍数の相対値のレベルを掛け合わせることにより前記リスクレベルを算出する請求項７に記載のパルスオキシメーター。
【請求項９】
前記リスクレベル算出手段は、前記血中酸素飽和度の相対値のレベルと前記脈拍数の相対値のレベルのそれぞれに重み係数を掛けてから両者を掛け合わせる請求項８に記載のパルスオキシメーター。
【請求項１０】
前記表示手段は、前記リスクレベルを当該リスクレベルに応じたボルグスケールの指標レベルで表示する請求項７〜９のいずれか一項に記載のパルスオキシメーター。
【請求項１１】
被検者及び／又は測定時の状況に応じて前記段階数及び前記刻みを変更する制御手段を備える請求項１〜１０のいずれか一項に記載のパルスオキシメーター。
【請求項１２】
患者情報及び／又は状況情報に対応付けて前記段階数及び前記刻みを記憶する記憶手段を備え、
前記制御手段は、前記記憶手段に記憶されている前記段階数及び前記刻みの中から前記被検者の患者情報及び／又は測定時の状況情報に対応する前記段階数及び前記刻みを前記変換手段が使用する設定値として設定する請求項１１に記載のパルスオキシメーター。
【請求項１３】
前記記憶手段には、予め前記段階数及び前記刻みのデフォルト値が記憶されている請求項１２に記載のパルスオキシメーター。
【請求項１４】
前記段階数及び前記刻みを入力する入力手段を備え、
前記記憶手段は、前記入力手段により入力された前記段階数及び前記刻みを記憶する請求項１２に記載のパルスオキシメーター。
【請求項１５】
前記制御手段により前記変換手段が使用するものとして設定された設定値は、電源がＯＦＦされてもリセットされることなく、次回の電源投入時にはその設定で起動される請求項１２〜１４のいずれか一項に記載のパルスオキシメーター。
【請求項１６】
前記制御手段は、前記被検者の個人情報、測定開始時の時間情報及び測定開始時の初期の血中酸素飽和度のひとつ又は複数の情報を取得し、取得した情報に基づいて、前記記憶手段に記憶されている前記段階数及び前記刻みの中から前記被検者の患者情報及び／又は測定時の状況情報に対応する前記段階数及び前記刻みを前記変換手段が使用する設定値として設定する請求項１２〜１４のいずれか一項に記載のパルスオキシメーター。
【請求項１７】
同一の患者情報に対応する複数の前記段階数及び前記刻みのデータが前記記憶手段に記憶されている場合に、記憶されている複数の前記データを自動又は手動で統合する統合手段を備える請求項１２〜１６のいずれか一項に記載のパルスオキシメーター。
【手続補正２】
【補正対象書類名】明細書
【補正対象項目名】０００７
【補正方法】変更
【補正の内容】
【０００７】
上記課題を解決するため、請求項１に記載の発明のパルスオキシメーターは、
生体の血中酸素飽和度を測定する測定手段と、
前記測定手段により測定された血中酸素飽和度を予め定められた段階数及び刻みのレベルに変換する変換手段と、
前記変換手段により変換されたレベルを表示する表示手段の表示を制御する表示制御手段と、
を備える。
請求項２に記載の発明のパルスオキシメーターは、
生体の血中酸素飽和度を測定する測定手段と、
前記測定手段により測定された血中酸素飽和度を予め定められた段階数及び刻みのレベルに変換する変換手段と、
前記変換手段により変換されたレベルを表示する表示手段と、
を備える。
【手続補正３】
【補正対象書類名】明細書
【補正対象項目名】０００８
【補正方法】変更
【補正の内容】
【０００８】
請求項３に記載の発明のパルスオキシメーターは、
生体の血中酸素飽和度を測定する測定手段と、
前記測定手段により測定された血中酸素飽和度の、予め定められた基準値からの相対値を算出する相対値算出手段と、
前記相対値算出手段により算出された相対値を予め定められた段階数及び刻みのレベルに変換する変換手段と、
前記レベルを表示する表示手段と、
を備える。
【手続補正４】
【補正対象書類名】明細書
【補正対象項目名】０００９
【補正方法】変更
【補正の内容】
【０００９】
請求項４に記載の発明は、請求項３に記載の発明において、
前記測定手段による測定結果に基づいて前記基準値を取得する基準値取得手段を備える。
【手続補正５】
【補正対象書類名】明細書
【補正対象項目名】００１０
【補正方法】変更
【補正の内容】
【００１０】
請求項５に記載の発明は、請求項３又は４に記載の発明において、
前記測定手段により測定された血中酸素飽和度を予め定められた段階数及び刻みのレベルに変換する第２の変換手段と、
前記表示手段に表示するレベルを、前記相対値を変換したレベルと前記血中酸素飽和度を変換したレベルとの間で切り替える切替手段と、
を備える。
【手続補正６】
【補正対象書類名】明細書
【補正対象項目名】００１１
【補正方法】変更
【補正の内容】
【００１１】
請求項６に記載の発明は、請求項５に記載の発明において、
前記表示手段は、表示しているレベルが前記相対値を変換したレベルであるか前記血中酸素飽和度を変換したレベルであるかを示す情報を併せて表示する。
【手続補正７】
【補正対象書類名】明細書
【補正対象項目名】００１２
【補正方法】変更
【補正の内容】
【００１２】
請求項７に記載の発明のパルスオキシメーターは、
生体の血中酸素飽和度及び脈拍数を測定する測定手段と、
前記測定手段により測定された血中酸素飽和度及び脈拍数のそれぞれの、予め定められた基準値からの相対値を算出する相対値算出手段と、
前記相対値算出手段により算出された前記血中酸素飽和度の相対値と前記脈拍数の相対値のそれぞれを予め定められた段階数及び刻みのレベルに変換する変換手段と、
前記変換手段により変換された前記血中酸素飽和度の相対値のレベルと前記脈拍数の相対値のレベルに基づいてリスクレベルを算出するリスクレベル算出手段と、
前記リスクレベル算出手段により算出されたリスクレベルを表示する表示手段と、
を備える。
【手続補正８】
【補正対象書類名】明細書
【補正対象項目名】００１３
【補正方法】変更
【補正の内容】
【００１３】
請求項８に記載の発明は、請求項７に記載の発明において、
前記リスクレベル算出手段は、前記血中酸素飽和度の相対値のレベルと前記脈拍数の相対値のレベルを掛け合わせることにより前記リスクレベルを算出する。
【手続補正９】
【補正対象書類名】明細書
【補正対象項目名】００１４
【補正方法】変更
【補正の内容】
【００１４】
請求項９に記載の発明は、請求項８に記載の発明において、
前記リスクレベル算出手段は、前記血中酸素飽和度の相対値のレベルと前記脈拍数の相対値のレベルのそれぞれに重み係数を掛けてから両者を掛け合わせる。
【手続補正１０】
【補正対象書類名】明細書
【補正対象項目名】００１５
【補正方法】変更
【補正の内容】
【００１５】
請求項１０に記載の発明は、請求項７〜９のいずれか一項に記載の発明において、
前記表示手段は、前記リスクレベルを当該リスクレベルに応じたボルグスケールの指標レベルで表示する。
【手続補正１１】
【補正対象書類名】明細書
【補正対象項目名】００１６
【補正方法】変更
【補正の内容】
【００１６】
請求項１１に記載の発明は、請求項１〜１０のいずれか一項に記載の発明において、
被検者及び／又は測定時の状況に応じて前記段階数及び前記刻みを変更する制御手段を備える。
【手続補正１２】
【補正対象書類名】明細書
【補正対象項目名】００１７
【補正方法】変更
【補正の内容】
【００１７】
請求項１２に記載の発明は、請求項１１に記載の発明において、
患者情報及び／又は状況情報に対応付けて前記段階数及び前記刻みを記憶する記憶手段を備え、
前記制御手段は、前記記憶手段に記憶されている前記段階数及び前記刻みの中から前記被検者の患者情報及び／又は測定時の状況情報に対応する前記段階数及び前記刻みを前記変換手段が使用する設定値として設定する。
【手続補正１３】
【補正対象書類名】明細書
【補正対象項目名】００１８
【補正方法】変更
【補正の内容】
【００１８】
請求項１３に記載の発明は、請求項１２に記載の発明において、
前記記憶手段には、予め前記段階数及び前記刻みのデフォルト値が記憶されている。
【手続補正１４】
【補正対象書類名】明細書
【補正対象項目名】００１９
【補正方法】変更
【補正の内容】
【００１９】
請求項１４に記載の発明は、請求項１２に記載の発明において、
前記段階数及び前記刻みを入力する入力手段を備え、
前記記憶手段は、前記入力手段により入力された前記段階数及び前記刻みを記憶する。
【手続補正１５】
【補正対象書類名】明細書
【補正対象項目名】００２０
【補正方法】変更
【補正の内容】
【００２０】
請求項１５に記載の発明は、請求項１２〜１４のいずれか一項に記載の発明において、
前記制御手段により前記変換手段が使用するものとして設定された設定値は、電源がＯＦＦされてもリセットされることなく、次回の電源投入時にはその設定で起動される。
【手続補正１６】
【補正対象書類名】明細書
【補正対象項目名】００２１
【補正方法】変更
【補正の内容】
【００２１】
請求項１６に記載の発明は、請求項１２〜１４のいずれか一項に記載の発明において、
前記制御手段は、前記被検者の個人情報、測定開始時の時間情報及び測定開始時の初期の血中酸素飽和度のひとつ又は複数の情報を取得し、取得した情報に基づいて、前記記憶手段に記憶されている前記段階数及び前記刻みの中から前記被検者の患者情報及び／又は測定時の状況情報に対応する前記段階数及び前記刻みを前記変換手段が使用する設定値として設定する。
【手続補正１７】
【補正対象書類名】明細書
【補正対象項目名】００２２
【補正方法】変更
【補正の内容】
【００２２】
請求項１７に記載の発明は、請求項１２〜１６のいずれか一項に記載の発明において、
同一の患者情報に対応する複数の前記段階数及び前記刻みのデータが前記記憶手段に記憶されている場合に、記憶されている複数の前記データを自動又は手動で統合する統合手段を備える。